(57)【要約】  アイドルモードの移動端末について現在の位置情報を維持管理する無線アクセスネットワーク及び方法の実施例が記載される。他の実施例も記載される。
2009538060.tif 000002
【特許請求の範囲】
【請求項１】
アイドルモードの移動局について無線アクセスネットワークでハンドオーバする方法であって、
移動局がページンググループを変更したときに、中継ページングコントローラから位置更新要求メッセージを受信し、
前記中継ページングコントローラのネットワークアドレスに基づいて、前記移動局がアクセスサービスネットワークを切り替えたか否かを決定し、
前記移動局がアクセスサービスネットワークを切り替えたときに、前記移動局のプロキシ移動クライアントにハンドオーバ要求メッセージを送信し、前記移動局への次の通信をルーティングするときに使用されるターゲット・フォーリンエージェントのアドレスを提供することを有する方法。
【請求項２】
前記中継ページングコントローラの前記ネットワークアドレスは、前記位置更新要求メッセージで受信され、
前記移動局が前のページンググループから新しいページンググループに変化したときに、前記位置更新要求メッセージは、前記中継ページングコントローラからアンカー・ページングコントローラにより受信される、請求項１に記載の方法。
【請求項３】
決定することは、前記アンカー・ページングコントローラの位置レジスタに格納されたネットワークアドレスと前記位置更新要求メッセージで受信した前記中継ページングコントローラの前記ネットワークアドレスとを比較することにより、前記移動局が現在のアクセスサービスネットワーク内でページンググループを切り替えたか、新しいアクセスサービスネットワークにページンググループを切り替えたかを前記アンカー・ページングコントローラにより決定することを有する、請求項２に記載の方法。
【請求項４】
前記位置更新要求メッセージで受信した前記中継ページングコントローラの前記ネットワークアドレスが前記位置レジスタに格納された前記アンカー・ページングコントローラの前記ネットワークアドレスと異なる場合に、前記ハンドオーバ要求メッセージが送信され、
前記ハンドオーバ要求メッセージは、前記アンカー・ページングコントローラから前記移動局の前記プロキシ移動クライアントに送信され、
前記ハンドオーバ要求メッセージは、前記ターゲット・フォーリンエージェントの前記アドレスを含む、請求項３に記載の方法。
【請求項５】
前記位置更新要求メッセージで受信した前記中継ページングコントローラの前記ネットワークアドレスが前記位置レジスタに格納された前記アンカー・ページングコントローラの前記ネットワークアドレスに一致する場合、前記ハンドオーバ要求メッセージを前記プロキシ移動クライアントに送信することを抑制することを更に有し、
一致するアドレスは、前記移動局が現在のアクセスサービスネットワーク内でページンググループを変更したことを示す、請求項４に記載の方法。
【請求項６】
前記プロキシ移動クライアントは、前記ハンドオーバ要求メッセージの受信に応じて登録要求メッセージを前記ターゲット・フォーリンエージェントに送信し、アンカー・ページングコントローラ及びホームエージェントに関連するものとして前記移動局を登録するように前記ターゲット・フォーリンエージェントに指示し、
前記ハンドオーバ要求メッセージは、前記移動局の前記プロキシ移動クライアントに送信され、前記ターゲット・フォーリンエージェントの前記アドレスを提供し、
前記ターゲット・フォーリンエージェントは、前記移動局を認識せずに前記アンカー・ページングコントローラに関連するものとして前記移動局を登録する、請求項１に記載の方法。
【請求項７】
前記移動局は、前記プロキシ移動クライアントに関連する移動インターネットプロトコル端末であり、
前記プロキシ移動クライアントは、前記移動局がアイドルモード中にページンググループを変更したときに、前記移動局の代わりに移動インターネットプロトコル登録要求を送信し、移動インターネットプロトコル登録応答を受信する、請求項１に記載の方法。
【請求項８】
アイドルモード中に、前記移動局がページンググループ境界を横断すると、前記移動局は、新しいページンググループ内の基地局に測距要求メッセージを送信し、
前記移動局は、前記ページンググループの基地局によりブロードキャストされたページンググループ識別子に基づいて前記新しいページンググループを特定し、
前記基地局での前記ページング要求メッセージの受信に応じて、前記中継ページングコントローラは、前記アンカー・ページングゲートウェイに前記位置更新要求メッセージを生成して送信する、請求項１に記載の方法。
【請求項９】
前記移動局の前記プロキシ移動クライアントは、第１のアクセスサービスネットワーク内にあり、
前記アンカー・ページングコントローラは、第２のアクセスサービスネットワーク内にあり、前記第２のアクセスサービスネットワークは、前のアクセスサービスネットワークであり、
前記中継ページングコントローラは、第３又は第４のアクセスサービスネットワーク内にあり、前記第３又は第４のアクセスサービスネットワークは、前記新しいサービスネットワークであり、
前記第１、第２、第３及び第４のアクセスサービスネットワークは、コアサービスネットワークに関連する、請求項３に記載の方法。
【請求項１０】
前記移動局は、ブロードバンド無線アクセスネットワーク移動端末であり、
前記アクセスサービスネットワークの少なくともいくつかは、マルチプルアクセス技術を使用して複数の移動局と通信するブロードバンド無線アクセスネットワークを有する、請求項９に記載の方法。
【請求項１１】
前記コアサービスネットワークで前記移動局宛のデータを受信し、
前記コアサービスネットワークのホームエージェントにある前記フォーリンエージェントのインターネットプロトコルアドレスに基づいて、前記データを前記アクセスサービスネットワークの１つにルーティングすることを更に有し、
前記データの少なくともいくつかは、ボイス・オーバ・インターネットプロトコルデータを有し、
前記移動局は、プッシュツートークモードで動作可能である、請求項９に記載の方法。
【請求項１２】
移動局がページンググループを変更したときに、中継ページングコントローラから位置更新要求メッセージを受信するネットワークインタフェース回路と、
アンカー・ページングコントローラのネットワークアドレスと前記位置更新要求メッセージで受信した前記中継ページングコントローラのネットワークアドレスとを比較することにより、前記移動局がアクセスサービスネットワークを切り替えたか否かを決定する処理回路と
を有するページングコントローラ。
【請求項１３】
前記処理回路は、前記移動局がアクセスサービスネットワークを切り替えたことを決定し、
前記ネットワークインタフェース回路は、前記移動局のプロキシ移動クライアントにハンドオーバ要求メッセージを送信し、前記移動局への次の通信をルーティングするときに使用されるターゲット・フォーリンエージェントのアドレスを示す、請求項１２に記載のページングコントローラ。
【請求項１４】
前記位置更新要求メッセージで受信した前記中継ページングコントローラの前記ネットワークアドレスが位置レジスタに格納された前記アンカー・ページングコントローラの前記ネットワークアドレスと異なる場合に、前記ハンドオーバ要求メッセージが送信され、
前記ハンドオーバ要求メッセージは、前記移動局の前記プロキシ移動クライアントに送信され、前記ターゲット・フォーリンエージェントの前記アドレスを含み、
前記ターゲット・フォーリンエージェント及び前記中継ページングコントローラは、新しいアクセスサービスネットワークに関連する、請求項１３に記載のページングコントローラ。
【請求項１５】
前記位置更新要求メッセージで受信した前記中継ページングコントローラの前記ネットワークアドレスが前記位置レジスタに格納された前記アンカー・ページングコントローラの前記ネットワークアドレスに一致する場合、前記ネットワークインタフェース回路は、前記ハンドオーバ要求メッセージを前記プロキシ移動クライアントに送信し、
一致するアドレスは、前記移動局が現在のアクセスサービスネットワーク内でページンググループを変更したことを示す、請求項１４に記載のページングコントローラ。
【請求項１６】
前記プロキシ移動クライアントは、前記アンカー・ページングコントローラにハンドオーバ確認メッセージを送信し、アイドルモードの前記移動局のハンドオーバがうまく完了し、前のフォーリンエージェントがもはや前記移動局の現在のフォーリンエージェントではないことを示す、請求項１６に記載のページングコントローラ。
【請求項１７】
移動局との無線通信を提供する複数のアクセスサービスネットワークを有する無線通信システムであって、
前記移動局がページンググループを変更したときに、位置更新要求メッセージは、前記アクセスサービスネットワークの前のものから前記アクセスサービスネットワークの現在のものの中継ページングコントローラから受信され、
前記中継ページングコントローラのネットワークアドレスに基づいて前記移動局がアクセスサービスネットワークを切り替えたことを、前記中継ページングコントローラが決定したときに、前記中継ページングコントローラは、前記アクセスサービスネットワークの第１のものの中の前記移動局のプロキシ移動クライアントにハンドオーバ要求メッセージを送信し、現在のアクセスサービスネットワーク内のターゲット・フォーリンエージェントのアドレスを示す無線通信システム。
【請求項１８】
コアサービスネットワークを更に有し、
前記コアサービスネットワークは、前記移動局への次の通信をルーティングする際に使用される前記移動局の前記ターゲット・フォーリンエージェントのアドレスを格納するホームエージェントを含む、請求項１７に記載のシステム。
【請求項１９】
前記アクセスサービスネットワークの少なくともいくつかは、マルチプルアクセス技術を使用して複数の移動局と通信するブロードバンド無線アクセスネットワークを有し、
前記移動局は、ブロードバンド無線アクセスネットワーク移動端末である、請求項１８に記載のシステム。
【請求項２０】
アイドルモード中に、前記移動局がページンググループ境界を横断すると、前記移動局は、新しいページンググループ内の基地局に測距要求メッセージを送信し、
前記移動局は、前記ページンググループの基地局によりブロードキャストされたページンググループ識別子に基づいて前記新しいページンググループを特定し、
前記基地局での前記ページング要求メッセージの受信に応じて、前記中継ページングコントローラは、アンカー・ページングゲートウェイに前記位置更新要求メッセージを生成して送信する、請求項１７に記載のシステム。
【発明の詳細な説明】
【技術分野】
【０００１】
本発明の或る実施例は、無線通信に関する。本発明の或る実施例は、無線アクセスネットワークに関する。本発明の或る実施例は、移動端末のアイドルモード及びページング動作に関する。
【背景技術】
【０００２】
無線アクセスネットワークは、移動端末と音声データ（VoIP（voice  over  internet  protocol）等）及び他の時間依存のトラヒックフローを通信するために使用可能である。これらの無線アクセスネットワークは、トラヒックフローの要件を満たすために、移動端末の現在位置を迅速に決定する必要がある。アクティブモード中に、移動端末の位置は、ネットワークのホームエージェントにより更新及び維持管理される。しかし、移動端末がアイドルモードのときに、これらの位置は、継続して更新されない。或る時間依存のアプリケーションでは、アイドルモードの移動端末を見つけることに関連する遅延は過度になり得る。
【発明の開示】
【発明が解決しようとする課題】
【０００３】
従って、アイドルモードの移動局が容易に見つけられることを可能にする無線アクセスネットワーク及びハンドオーバ方法の一般的な必要性が存在する。また、移動端末がアイドルモードのときに過度の遅延のない時間依存のアプリケーション（VoIP及びPPT（push-to-talk）アプリケーション等）について移動端末をページングすることができる無線アクセスネットワークの一般的な必要性も存在する。
【発明を実施するための最良の形態】
【０００４】
以下の説明及び図面は、当業者が本発明の特定の実施例を実施可能であるように、本発明の特定の実施例を十分に示している。他の実施例は、構造的、論理的、電気的、処理的及び他の変更を含んでもよい。例は、可能な変形を単に代表するものである。明示的に必要としない限り、個々の構成要素及び機能は任意選択であり、動作の順序は変化してもよい。或る実施例の部分及び特徴は、他の実施例に含まれてもよく、置換されてもよい。特許請求の範囲に示す本発明の実施例は、特許請求の範囲の全ての利用可能な等価物を含む。本発明の実施例は、１つより多くのものが実際に開示されている場合には何れかの単一の発明又は発明概念にこの出願の範囲を限定することを意図せずに、単に便宜上で、ここでは個々に又は併せて“本発明”という用語で呼ばれることがある。
【０００５】
図１は、本発明の或る実施例による無線通信ネットワークを示している。無線通信ネットワーク100は、コアサービスネットワーク102と、複数のアクセスサービスネットワーク104（アクセスサービスネットワーク104A、アクセスサービスネットワーク104B、アクセスサービスネットワーク104C及びアクセスサービスネットワーク104Dとして示す）とを含んでもよい。アクセスサービスネットワーク104は、コアサービスネットワーク102と移動局（移動局112等）との間の通信をルーティングし、移動局（移動局112等）が外部ネットワーク106から通信を受信し、外部ネットワーク106に通信を送信することを可能にする。
【０００６】
各アクセスサービスネットワーク104は、他のアクセスサービスネットワークと通信するため及び／又はコアサービスネットワーク102と通信するため、フォーリンエージェント114と、ページングコントローラ116とを含んでもよい。アクセスサービスネットワーク104はまた、移動局（移動局112等）と無線周波数信号を通信するために、基地局を含んでもよい。各基地局は、１つのページンググループ（PG：paging  group）110に関連してもよい。ページンググループ110は、基地局のクラスタを有してもよく、ページングコントローラ116の関連するものにより管理されてもよい。
【０００７】
或る実施例では、或るアクセスサービスネットワーク104（アクセスサービスネットワーク104A等）は、プロキシ移動クライアント120を含んでもよい。プロキシ移動クライアント120は、移動局112のプロキシとして機能してもよく、移動局112の代わりに特定のネットワーク動作を実行してもよい。これらの実施例について、以下に詳細に説明する。プロキシ移動クライアント120は、アクセスサービスネットワーク104A内に図示されているが、如何なるアクセスサービスネットワーク104が、アクセスサービスネットワーク104によりサービス提供される移動局の1つ以上のプロキシ移動クライアントを含んでもよい。
【０００８】
或る実施例では、アクセスサービスネットワーク104は、コアサービスネットワーク102と通信するアクセスサービスネットワークゲートウェイ（別々に図示されていない）を含んでもよい。各アクセスサービスネットワークゲートウェイは、フォーリンエージェント（foreign  agent）（フォーリンエージェント114の１つ等）、ページングコントローラ（ページングコントローラ116の１つ等）、及び／又はプロキシ移動クライアント（プロキシ移動クライアント120等）を含んでもよい。或る実施例では、アクセスサービスネットワークゲートウェイの1つ以上の機能要素は様々な物理エンティティに分散されてもよいが、本発明の範囲はこの点に限定されない。
【０００９】
コアサービスネットワーク102は、ホームエージェント118と、AAA（authentication,  accounting,  and  administration）サーバ122とを含んでもよい。ホームエージェント118は、移動局112が現在あるアクセスサービスネットワーク104のフォーリンエージェント114のIP（internet  protocol）アドレスを格納してもよい。このように、コアサービスネットワーク102で受信した移動局112宛のデータ101は、ホームエージェント118の情報に基づいてアクセスサービスネットワーク104の適当なものにルーティングされてもよい。
【００１０】
或る実施例によれば、移動局112は、アクティブモード又はアイドルモードで動作してもよい。アクティブモード中に、移動局112は、１つのアクセスサービスネットワーク104内でアクティブに通信してもよい。アイドルモード中に、移動局112は、低電力状態にあってもよく、１つのアクセスサービスネットワーク104内でページングチャネル及び／又はブロードキャストチャネルを受信してもよい。アクティブモード中に、各アクセスサービスネットワーク104に関する移動局112のIPアドレスは、ホームエージェント118により更新及び維持管理されてもよい。アクティブモードでは、移動局112が基地局を通じて通信にアクティブに関与し得るため、１つのページンググループ110内の特定の基地局に関する移動局112の位置は認識され得る。しかし、通常のネットワークでは、移動局112がアイドルモードのときに、アクセスサービスネットワーク104に関する移動局112の位置はわからないことがある。この理由は、移動局112がアクティブに通信に関与していないからである。移動局112がアクセスサービスネットワーク104を変更すると、移動局112のIPアドレスは、変更又は更新される必要があることがある。
【００１１】
アイドルモード中に、移動局112は、移動局112のデータが存在すること又は移動局112への入来呼が存在することを移動局112に示すために、入来メッセージ（ページ等）を受信してもよい。ページに応じて、移動局112は、アイドルモードからアクティブモードに推移し、データを受信して処理してもよい。アイドルモード中における移動局112の更新されたIPアドレスの使用により、ページング及び接続確立の遅延が低減されることが可能になり得るが、本発明の範囲はこの点に限定されない。これは、VoIP及びPTTのような時間依存のアプリケーションの要件をサポートすることに役立つことがある。
【００１２】
或る実施例によれば、移動局112は、異なるアクセスサービスネットワーク104のページンググループ110の間を変更するときに、そのIPアドレスを更新するための特定のネットワーク動作（MIP（mobile  internet  protocol）登録要求及びMIP登録応答動作等）を実行する機能を必ずしも有さなくてもよい。これらの実施例では、プロキシ移動クライアント120は、移動局112のプロキシとして機能してもよく、移動局112の代わりに特定のネットワーク動作（MIP登録要求及びMIP登録応答動作）を実行してもよい。これらの実施例では、ネットワーク100のインフラストラクチャは、PMIP（proxy  mobile  IP）に基づいてもよく、プロキシ移動クライアント120は、移動局112のPMIPクライアントでもよいが、本発明の範囲はこの点に限定されない。
【００１３】
或る実施例では、ネットワーク100のインフラストラクチャはまた、CMIP（client  mobile  IP）動作をサポートしてもよいが、本発明の範囲はこの点に限定されない。CMIP動作をサポートするこれらの実施例では、或る移動局は、MIP登録要求及びMIP登録応答動作を実行する機能を有してもよいが、本発明の範囲はこの点に限定されない。
【００１４】
或る実施例によれば、移動局112のハンドオーバは、移動局112がアイドルモード中に移動局112が新しいページンググループ110に到達したときに生じてもよい。ここで説明する例では、アンカー・ページングコントローラ（anchor  paging  controller）（アンカー・ページングコントローラ116Bとして示す）は、移動局112が最後に登録したアクセスサービスネットワーク104のページングコントローラ116を示してもよく、中継ページングコントローラ（中継ページングコントローラ116Dとして示す）は、移動局112が再び見つかり得るアクセスサービスネットワーク104のページングコントローラ116を示してもよい。これらの実施例では、位置更新メッセージは、移動局112が現在存在するアクセスサービスネットワーク104D内の中継ページングコントローラ116Dに送信されてもよい。これらの実施例では、位置更新メッセージは、アンカー・ページングコントローラ116Bのネットワークアドレスを含んでもよい。中継ページングコントローラ116Dは、移動局112がアイドルモード中に位置を変更したことをアンカー・ページングコントローラ116Dに通知するために、アンカー・ページングコントローラ116Bに連絡してもよい。これらの実施例では、移動局112がアイドルモードである間に、アンカー・ページングコントローラ116Bは、（例えば、１つのページンググループ110に関して）移動局112の最新の位置情報を維持管理してもよい。
【００１５】
アンカー・ページングコントローラ116Bが中継ページングコントローラ116Dから位置更新要求メッセージを受信したときに、移動局112について位置レジスタに格納した最後のページングコントローラ116のアドレスと、メッセージで受信した中継ページングコントローラ116Dのアドレスとを比較してもよい。2つのアドレスが一致すると、移動局112は、同じアクセスサービスネットワーク104内でページンググループ110を切り替える。この状況で、移動局112の位置情報を更新するための動作は必要ない。この状況で、アンカー・ページングコントローラ116B及び中継ページングコントローラ116Dは、同じアクセスサービスネットワーク内の同じページングコントローラでもよい。
【００１６】
アドレスが異なる場合、アンカー・ページングコントローラ116Bは、移動局112がアクセスサービスネットワーク104Dの新しいページンググループ（ページンググループ110D等）に切り替わったことを決定する。この状況で、ハンドオーバ手順は、移動局112の認識なしに実行され、そのフォーリンエージェントを、移動局112が現在あるアクセスサービスネットワーク104Dのフォーリンエージェント114Dに更新してもよい。アイドルモードで動作する移動局ハンドオーバ手順の例について、以下に説明する。
【００１７】
或る実施例によれば、移動局112のページング及びデータパス確立は、移動局112がアイドルモードを出たときに、迅速に生じてもよい。その結果、全体のページング及びネットワーク再登録の遅延は低減され得る。更に、移動局112がアイドルモードを出るときにデータパス設定を実行するために使用されるネットワークリソースは、アイドルモード中に、移動局112とホームエージェント118との間で維持管理されてもよい。
【００１８】
図２は、本発明の或る実施例によるアイドルモードのハンドオーバ手順を示している。アイドルモードのハンドオーバ手順200は、移動局（移動局112（図１）等）の現在のIPアドレスを維持管理するために実行されてもよい。移動局（移動局112（図１）等）は、移動局が異なるアクセスサービスネットワーク104（図１）のページンググループ110（図１）の間で位置を変更するときにアイドルモードである。図２では、ホームエージェント118は、ホームエージェント118（図１）に対応してもよく、中継ページングコントローラ（PC）116Dは、中継ページングコントローラ116D（図１）に対応してもよく、ターゲット・フォーリンエージェント（target  foreign  agent）114Dは、フォーリンエージェント114D（図１）に対応してもよく、アンカー・ページングコントローラ116Bは、アンカー・ページングコントローラ116B（図１）に対応してもよく、プロキシ移動クライアント120は、プロキシ移動クライアント120（図１）に対応してもよい。
【００１９】
図１及び２を参照すると、移動局112がページンググループ110の間で位置を変更した後に、位置更新要求メッセージ201は、アンカー・ページングコントローラ116Bで中継ページングコントローラ116Dから受信されてもよい。アンカー・ページングコントローラ116Bは、中継ページングコントローラ116Dのネットワークアドレスに基づいて、移動局112がアクセスサービスネットワーク104を切り替えたか否かを決定してもよい。移動局112がアクセスサービスネットワーク104を切り替えた場合、ハンドオーバ要求メッセージ203が移動局112のプロキシ移動クライアント120に送信され、移動局112への次の通信を中継するときに使用されるターゲット・フォーリンエージェント114Dのネットワークアドレスを示してもよい。
【００２０】
或る実施例では、中継ページングコントローラ116Dのネットワークアドレスは、位置更新要求メッセージ201でアンカー・ページングコントローラ116Bにより受信されてもよい。或る実施例では、位置更新要求メッセージ201は、移動局112が前のページンググループ110Bから新しいページンググループ110Dにその位置を変更したときに、中継ページングコントローラ116Dから送信されてもよいが、本発明の範囲はこの点に限定されない。
【００２１】
或る実施例では、アンカー・ページングコントローラ116Bは、アンカー・ページングコントローラ116Bの位置レジスタに格納されたページングコントローラのネットワークアドレスと、位置更新要求メッセージ201で受信した中継ページングコントローラのネットワークアドレスとを比較することにより、移動局112が現在のアクセスサービスネットワーク104B内でページンググループ110を切り替えたか、新しいアクセスサービスネットワーク（アクセスサービスネットワーク104C又はアクセスサービスネットワーク104D等）にページンググループ110を切り替えたかを決定してもよいが、本発明の範囲はこの点に限定されない。
【００２２】
或る実施例では、位置更新要求メッセージ201で受信した中継ページングコントローラ116Dのネットワークアドレスがアンカー・ページングコントローラ116Bの位置レジスタに格納されたページングコントローラのネットワークアドレスと異なる場合に、ハンドオーバ要求メッセージ203が送信されてもよい。或る実施例では、ハンドオーバ要求メッセージ203は、アンカー・ページングコントローラ116から移動局112のプロキシ移動クライアント120に送信されてもよい。或る実施例では、ハンドオーバ要求メッセージ203は、ターゲット・フォーリンエージェント114Dのネットワークアドレスを含んでもよい。或る実施例では、ターゲット・フォーリンエージェント114D及び中継ページングコントローラ116Dは、アクセスサービスネットワーク104Dに関連してもよいが、本発明の範囲はこの点に限定されない。
【００２３】
或る実施例では、位置更新要求メッセージ201で受信した中継ページングコントローラ116Dのネットワークアドレスがアンカー・ページングコントローラ116Bの位置レジスタに格納されたページングコントローラのネットワークアドレスに一致する場合、アンカー・ページングコントローラ116Bは、ハンドオーバ要求メッセージ203をプロキシ移動クライアント120に送信することを抑制してもよい。これらの実施例では、一致するアドレスは、移動局112が現在のアクセスサービスネットワーク104Bのページングコントローラ116Bのページンググループ110を変更したことを示してもよいが、本発明の範囲はこの点に限定されない。
【００２４】
或る実施例では、プロキシ移動クライアント120は、ハンドオーバ要求メッセージ203に応じてハンドオーバ応答メッセージ205を送信してもよい。これらの実施例では、ハンドオーバ応答メッセージ205は、ハンドオーバ要求メッセージ203がうまく受信されたことを示してもよいが、本発明の範囲はこの点に限定されない。或る実施例では、プロキシ移動クライアント120は、ハンドオーバ要求メッセージ203の受信に応じて、登録要求メッセージ207をターゲット・フォーリンエージェント114Dに送信してもよい。登録要求メッセージ207は、ホームエージェント118及びアンカー・ページングコントローラ116Bに関連するものとして移動局112を登録するように、ターゲット・フォーリンエージェント114Dに命令してもよいが、本発明の範囲はこの点に限定されない。
【００２５】
或る実施例では、プロキシ移動クライアント120から登録要求メッセージ207を受信したことに応じて、ターゲット・フォーリンエージェント114Dは、登録要求メッセージ209をホームエージェント118に送信してもよい。これらの実施例では、登録要求メッセージ209は、ターゲット・フォーリンエージェント114DのIPアドレスを含んでもよい。ホームエージェント118は、移動局112に次の通信をルーティングする際に使用するため、移動局112のターゲット・フォーリンエージェント114DのIPアドレスを格納してもよいが、本発明の範囲はこの点に限定されない。
【００２６】
或る実施例では、ホームエージェント118は、登録要求メッセージ209の受信に応じて、登録応答メッセージ211をターゲット・フォーリンエージェント114Dに送信してもよい。ターゲット・フォーリンエージェント114Dは、登録応答メッセージ213をプロキシ移動クライアント120に送信し、ホームエージェント118がターゲット・フォーリンエージェント114DのIPアドレスを更新されたことを示してもよいが、本発明の範囲はこの点に限定されない。
【００２７】
或る実施例では、プロキシ移動クライアント120は、アンカー・ページングコントローラ116Bにハンドオーバ確認メッセージ215を送信し、アイドルモードの移動局112のハンドオーバがうまく完了したこと、及び前のフォーリンエージェント（フォーリンエージェント114B等）がもはや移動局112の現在のフォーリンエージェントではないことを示してもよいが、本発明の範囲はこの点に限定されない。
【００２８】
或る実施例では、中継ページングコントローラ116Dのネットワークアドレスは、位置更新要求メッセージ201のヘッダ（例えば、発信元IPアドレス）又は本文に存在してもよいが、本発明の範囲はこの点に限定されない。
【００２９】
或る実施例では、移動局112は、プロキシ移動クライアント120に関連する移動IP端末でもよく、プロキシ移動クライアント120は、移動局112がページンググループ110を変更したときに、移動局112の代わりに（すなわち、再アンカーリング（re-anchoring）のために）MIP（mobile  internet-protocol）登録要求（RRQ：registration  request）及びMIP登録応答（RRP：registration  response）メッセージを送信してもよい。これらの実施例では、プロキシ移動クライアント120は、移動局112の代わりに少なくともいくつかのネットワーク動作（例えば、MIP  RRP及びRRQメッセージの送信）を実行してもよいが、本発明の範囲はこの点に限定されない。
【００３０】
プロキシ移動クライアント120の使用は、移動局が移動したときに移動局112がMIPスタックなしに動作することを可能にするアドレス付加の時点（in  the  point  of  attachment  address）の変更を含まない。これらの実施例では、移動局112は、位置を変更したときにMIP  RRP及びRRQメッセージを送信する機能のない移動インターネットプロトコルIP端末でもよい。これらの実施例では、移動局112は、これらのネットワーク動作を実行するためにプロキシ移動クライアント120に依存してもよいが、本発明の範囲はこの点に限定されない。
【００３１】
或る実施例では、移動局112がアイドルモードのときにページンググループ110の間で位置を変更すると、移動局112は、新しいページンググループ110の基地局を通じて、測距要求（RNG-REQ：ranging  request）メッセージを中継ページングゲートウェイ116Bに送信してもよい。移動局112は、新しいページンググループ110の基地局によりブロードキャストされ得るページンググループ識別子（PG-ID）に基づいて新しいページンググループ110を特定してもよい。前述のように、測距要求メッセージに応じて、中継ページングゲートウェイ116Dは、位置更新要求メッセージ201をアンカー・ページングコントローラ116Bに送信してもよい。登録要求メッセージ213がプロキシ移動クライアント120に送信された後に、測距応答（RNG-RESP：ranging  response）メッセージが移動局112に送信されてもよいが、本発明の範囲はこの点に限定されない。測距応答メッセージは、位置更新がページングコントローラ116Dの位置レジスタでうまく登録されたことを示してもよい。
【００３２】
他方、アクティブモードでは、ページンググループ境界を横断すると、移動局112の測距要求メッセージは、移動局112により送信されない。この理由は、移動局が基地局レベルの精度で追跡され得ないからである。
【００３３】
或る実施例では、移動局112のプロキシ移動クライアント120は、第１のアクセスサービスネットワーク104A内に存在してもよく、アンカー・ページングコントローラ116Bは、第２のアクセスサービスネットワーク104B内に存在してもよい。中継ページングコントローラ（中継ページングコントローラ110C又は中継ページングコントローラ104D等）は、それぞれ第３又は第４のアクセスサービスネットワーク104C又は104Dに存在してもよい。これらの実施例では、第２のアクセスサービスネットワーク104Bは、前のアクセスサービスネットワークでもよく、第３のアクセスサービスネットワーク104C又は第４のアクセスサービスネットワーク104Dは、移動局の新しいアクセスサービスネットワークでもよいが、本発明の範囲はこの点に限定されない。
【００３４】
或る実施例では、少なくともいくつかのアクセスサービスネットワーク104は、マルチプルアクセス技術（直交周波数分割多重アクセス（OFDMA：orthogonal  frequency  division  multiple  access）等）を使用して複数の移動局と通信するブロードバンド無線アクセス（BWA：broadband  wireless  access）ネットワーク（WiMaxネットワーク等）を有してもよい。或る実施例では、移動局112は、ブロードバンド無線アクセスネットワーク移動端末でもよいが、本発明の範囲はこの点に限定されない。
【００３５】
或る実施例では、移動局112宛のデータ101は、コアサービスネットワーク102で受信されてもよく、移動局112のホームエージェント118に格納されたIPアドレスに基づいて１つのアクセスサービスネットワーク104にルーティングされてもよい。或る実施例では、少なくともいくつかのデータ101は、voice-over  IPデータを有してもよい。或る実施例では、移動局112は、プッシュツートークモードで動作可能でもよいが、本発明の範囲はこの点に限定されない。或る実施例では、データ101は、移動局112宛のページング又はデータパス確立メッセージを有してもよいが、本発明の範囲はこの点に限定されない。
【００３６】
図３は、本発明の或る実施例によるページングコントローラのブロック図を示している。ページングコントローラ300は、いずれか１つのページングコントローラ116（図１）として使用するのに適してもよい。或る実施例では、ページングコントローラ300は、アンカー・ページングコントローラ116B（図１）に適してもよいが、本発明の範囲はこの点に限定されない。ページングコントローラ300は、ネットワークインタフェース回路302と、処理回路304と、位置レジスタ306とを含んでもよい。ページングコントローラ300はまた、図示しない他の機能要素を含んでもよい。
【００３７】
或る実施例によれば、ネットワークインタフェース回路302は、移動局（移動局112（図１）等）がページンググループ110（図１）を変更したときに、中継ページングコントローラ（中継ページングコントローラ116D（図１）等）から位置更新要求メッセージ（位置更新要求メッセージ201（図２）等）を受信してもよい。位置レジスタ306は、ページングコントローラ300のネットワークアドレスを格納してもよい。処理回路304は、位置レジスタ306に格納されたページングコントローラ300のネットワークアドレスと、位置更新要求メッセージ201（図２）で受信した中継ページングコントローラのネットワークアドレスとを比較することにより、移動局112（図１）がアクセスサービスネットワーク104（図１）を切り替えたか否かを決定してもよい。
【００３８】
或る実施例では、移動局112（図１）がアクセスサービスネットワーク104（図１）を切り替えたことを処理回路304が決定すると、ネットワークインタフェース回路302は、ハンドオーバ要求メッセージ203（図２）をプロキシ移動クライアント120（図１）に送信し、移動局112（図１）に次の通信をルーティングするときに使用されるターゲット・フォーリンエージェント（フォーリンエージェント114D（図１）等）のアドレスを示してもよい。これらの実施例では、ページングコントローラ300は、アンカー・ページングコントローラ116Bとして動作してもよい。
【００３９】
或る実施例では、位置更新要求メッセージ201で受信した中継ページングコントローラのネットワークアドレスが位置レジスタ306に格納されたアンカー・ページングコントローラのネットワークアドレスと異なる場合、ハンドオーバ要求メッセージ203は、ネットワークインタフェース回路302により送信されてもよい。或る実施例では、位置更新要求メッセージ201（図２）で受信した中継ページングコントローラのネットワークアドレスが位置レジスタ306に格納されたアンカー・ページングコントローラのネットワークアドレスに一致した場合、ネットワークインタフェース回路302は、プロキシ移動クライアント120にハンドオーバ要求メッセージ203（図２）を送信することを抑制してもよい。
【００４０】
ページングコントローラ300は、複数の別々の機能要素を有するものとして図示されているが、１つ以上の機能要素は結合されてもよく、ソフトウェア構成要素（デジタル信号プロセッサ（DSP：digital  signal  processor）及び／又は他のハードウェア要素を含む処理要素等）の組み合わせにより実装されてもよい。例えば、或る要素は、ここに記載される機能を少なくとも実行する１つ以上のマイクロプロセッサ、DSP、特殊用途向け集積回路（ASIC）、並びに様々なハードウェア及び論理回路の組み合わせを有してもよい。或る実施例では、ページングコントローラ300の機能要素は、１つ以上の処理要素で動作する１つ以上の処理を示してもよい。
【００４１】
或る実施例では、移動局112（図１）は、マルチキャリア通信チャネルで直交周波数分割多重（OFDM）通信信号を通信してもよい。マルチキャリア通信チャネルは、所定の周波数スペクトル内に存在してもよく、複数の直交サブキャリアを有してもよい。或る実施例では、マルチキャリア信号は、密集したOFDMサブキャリアにより規定されてもよい。これらの実施例のいくつかでは、移動局112（図１）は、マルチプルアクセス技術（直交周波数分割多重アクセス（OFDMA）等）に従って通信してもよいが、本発明の範囲はこの点に限定されない。或る実施例では、移動局112は、スペクトル拡散信号を使用して通信し得る無線通信装置の一部でもよいが、本発明の範囲はこの点に限定されない。
【００４２】
或る実施例では、移動局112（図１）は、ブロードバンド無線アクセス（BWA）ネットワーク通信局（WiMax（Worldwide  Interoperability  for  Microwave  Access）通信局等）でもよいが、本発明の範囲はこの点に限定されない。或る実施例では、移動局112（図１）は、ポータブル無線通信装置（携帯情報端末（PDA）、無線通信機能を有するラップトップ若しくはポータブルコンピュータ、ウェブタブレット、無線電話、無線ヘッドセット、ページャ、インスタントメッセージングサービス、デジタルカメラ、アクセスポイント、テレビ、医療装置（例えば、心拍数モニタ、血圧モニタ等）、又は情報を無線で受信及び／又は送信し得る他の装置等）でもよい。或るBWAネットワークの実施例では、移動局112（図１）により通信される信号の周波数スペクトルは、2〜11ギガヘルツ（GHz）の周波数を有してもよいが、本発明の範囲はこの点に限定されない。
【００４３】
或る実施例では、移動局112（図１）は、特定の通信標準（無線メトロポリタンエリアネットワーク（WMAN）のIEEE802.16-2004及びIEEE802.16(e)標準及びこれらの変形及び進展を含むIEEE（Institute  of  Electrical  and  Electronics  Engineers）標準等）に従って通信してもよいが、他の技術及び標準に従って通信を送信及び／又は受信するのに適することがあるため、本発明の範囲はこの点に限定されない。IEEE802.16標準に関する更なる情報については、“IEEE  Standards  for  Information  Technology  −  Telecommunications  and  Information  Exchange  between  Systems”  Metropolitan  Area  Networks  −  Specific  Requirements  −  Part  16:  “Air  Interface  for  Fixed  Broadband  Wireless  Access  Systems”  May  2005と、関連する変更／バージョンを参照のこと。
【００４４】
特に言及しない限り、処理、計算、計数、決定、表示等のような用語は、処理システムのレジスタ及びメモリ内で物理的（例えば電子的）量として表されるデータを、処理システムのレジスタ若しくはメモリ、又は他のこのような情報記憶、送信若しくは表示装置内の物理的量として同様に表される他のデータに操作及び変換し得る１つ以上の処理若しくは計算システム又は同様の装置の動作及び／又は処理を示してもよい。更に、ここで使用される計算装置という用語は、揮発性メモリ若しくは不揮発性メモリ又はこれらの組み合わせでもよいコンピュータ可読メモリに結合された１つ以上の処理装置を含む。
【００４５】
本発明の或る実施例は、ハードウェア、ファームウェア及びソフトウェアのうち１つ以上の組み合わせで実施されてもよい。本発明の或る実施例はまた、機械可読媒体に格納された命令として実施されてもよい。機械可読媒体は、ここに記載の動作を実行するために少なくとも１つのプロセッサにより読み取られて実行されてもよい。機械可読媒体は、機械（例えば、コンピュータ）により読み取り可能な形式で情報を格納又は送信する如何なる機構でもよい。例えば、機械可読媒体は、読み取り専用メモリ（ROM）、ランダムアクセスメモリ（RAM）、磁気ディスク記憶媒体、光記憶媒体、フラッシュメモリ装置、電気的、光学的、音響的又は他の形式の伝搬信号（例えば、搬送波、赤外線信号、デジタル信号等）等を含んでもよい。
【００４６】
要約は、読者が技術的開示の性質及び要旨を確認することを可能にするという要約を求める37C.F.R.セクション1.72(b)に従うために提供される。これは、特許請求の範囲又は意味を限定又は解釈するために使用されないという理解で提示されている。
【００４７】
前述の詳細な説明では、開示を簡素化する目的で、様々な特徴が場合によって単一の実施例にグループ化されている。開示のこの方法は、対象の実施例が各請求項に明示的に記載されたものより多くの特徴を必要とするという意図を反映するものとして解釈されるべきではない。むしろ、特許請求の範囲に記載のように、本発明は、単一の開示された実施例の全ての特徴より少ないものに存在してもよい。従って、特許請求の範囲は詳細な説明に組み込まれ、各請求項が、別々の好ましい実施例として自立する。
【図面の簡単な説明】
【００４８】
【図１】本発明の或る実施例による無線通信ネットワーク
【図２】本発明の或る実施例によるアイドルモードのハンドオーバ手順
【図３】本発明の或る実施例によるページングコントローラのブロック図
【図１】
2009538060.tif 000003
【図２】
2009538060.tif 000004
【図３】
2009538060.tif 000005
【国際調査報告】
2009538060.tif 000006
2009538060.tif 000007